(57)【要約】【課題】  リレー特性の安定した電磁リレーとその製造方法を提供すること。【解決手段】  電磁リレーは、ヒンジばね１１の延設部１１ｂと共通端子板４の外側面４ｂとを当接させて位置決めし、かつ、ヒンジばね１１の被溶接部１１ａの接極子９の揺動軸に対し垂直方向の一端と壁面５ｂとを当接させて位置決めした状態で、ヒンジばね１１の被溶接部１１ａと共通端子板４の溶接面４ａとが溶接されるため、接極子ブロック２とボディブロック１とが所定の位置に精度良く接合されている。【選択図】図１
2005071762.tif 000002
【特許請求の範囲】
【請求項１】
鉄心及び前記鉄心に巻回されたコイルからなる電磁石ブロック、固定接点が固着された固定端子板、及び共通端子板を樹脂製のボディに固定して形成されたボディブロックと、鉄心の磁極に対向させるようにしてボディブロックに揺動自在に支持され、鉄心の磁極に吸引されて揺動する接極子と、接極子と一体的に設けられ、固定接点と対向する部位に固定接点と接離する可動接点が固着された接点ばねと、接点ばねに電気的に接続されるヒンジばねとを備える電磁リレーの製造方法において、前記ヒンジばねと、前記ヒンジばねの平板状の被溶接部が載置され溶接される溶接面を有する前記共通端子板とを、前記被溶接部の前記接極子の揺動軸に平行な方向の一端から、前記被溶接部に対し垂直下方向に延設された部位と、前記共通端子板の外側面とを当接させて位置決めし、さらに前記被溶接部の前記接極子の揺動軸に垂直な方向の一端と、前記溶接面の前記接極子の揺動軸に垂直な方向の端部に、前記溶接面に対して垂直上方向に前記ボディから一体に延設された壁体の壁面とを、当接させて位置決めした状態で、溶接することを特徴とする電磁リレーの製造方法。
【請求項２】
鉄心及び前記鉄心に巻回されたコイルからなる電磁石ブロック、固定接点が固着された固定端子板、及び共通端子板を樹脂製のボディに固定して形成されたボディブロックと、鉄心の磁極に対向させるようにしてボディブロックに揺動自在に支持され、鉄心の磁極に吸引されて揺動する接極子と、接極子と一体的に設けられ、固定接点と対向する部位に固定接点と接離する可動接点が固着された接点ばねと、接点ばねに電気的に接続されるヒンジばねとを備える電磁リレーにおいて、平板状の被溶接部が前記共通端子板の溶接面に載置され溶接される前記ヒンジばねに、前記溶接面に直交する前記共通端子板を含む周辺部に当接して位置決めする位置決め部が設けられており、前記位置決め部が、前記被溶接部の前記接極子の揺動軸に平行な方向の一端から、前記被溶接部に対し垂直下方向に延設された部位、及び前記被溶接部の前記接極子の揺動軸に垂直な方向の一端であり、それぞれ対応する前記周辺部が、前記共通端子板の外側面、及び前記溶接面の前記接極子の揺動軸に垂直な方向の端部に、前記溶接面に対して垂直上方向に前記ボディから一体に延設された壁体の壁面であることを特徴とする電磁リレー。
【発明の詳細な説明】
【技術分野】
【０００１】
本発明は、金属部品を所定の位置に正しく接合する接合方法と、それを用いた電磁リレーに関する。
【背景技術】
【０００２】
従来、電磁リレーは、そのボディブロックと接極子ブロックとを、それぞれに備えられた金属部分を互いに重ね合わせて溶接することにより接合している。  
【０００３】
この種の電磁リレーは、接極子が揺動し、接点を開閉する機能を有するバランスアマチュア方式の有極リレーであり、ボディブロック、接極子ブロックおよびカバーとで構成され、前記接極子ブロックと前記ボディブロックとは、図３に示すように、前記接極子ブロックの両側に備えられたヒンジばね片１０１と、前記ボディブロック上に設けられた固着片１０２とを溶接することで接合され、前記接極子ブロックに備えられる前記接極子と、前記ボディブロックの上面に露出している鉄心の両側片とを、前記接極子に設けられた微小突起を介して点接触させるものがあった（特許文献１）。
【特許文献１】特開平１０−３２６５５０号公報（第２図）
【発明の開示】
【発明が解決しようとする課題】
【０００４】
上述のような電磁リレーは、ボディブロックに接極子ブロックが揺動自由に載置され、コイルに流れる電流の方向によって、経路の切替えを行う。このとき、電磁リレーのサイズが大きい場合、接極子ブロックとボディブロックとは、ある程度の範囲で収まるように溶接されていれば、リレー特性に影響しなかった。
【０００５】
図４（ａ）及び（ｂ）には、電磁リレーのサイズが大きい場合の接点ばね１０と共通端子板４との接合の概略説明図を示している。この場合、接点ばね１０の長さ寸法は、接点ばね１０の中心部と固定接点３ａ間のセンター位置との間のずれに比べて大きいため、接点ばね１０の中心部と固定接点３ａ間のセンター位置との間のずれによる影響は小さく、電磁リレーのシーソー動作のバランスに大きな変化を与えない。
【０００６】
一方、図４（ｃ）及び（ｄ）には、電磁リレーのサイズが小さい場合の接点ばね１０と共通端子板４との接合の概略説明図を示している。この場合、接点ばね１０の長さ寸法は、接点ばね１０の中心部と固定接点３ａ間のセンター位置との間のずれに比べて充分に大きいとはいえない。そのため、接点ばね１０の中心部と固定接点３ａ間のセンター位置との間のずれによる影響を無視することができず、電磁リレーのシーソー動作のバランスの悪化、ばね特性の変化が生じてしまう。
【０００７】
以上のように、電磁リレーが小型化されるにつれて、接極子ブロックとボディブロックとの溶接部の位置ずれの影響が大きくなり、リレー特性がばらついてしまうという問題があった。
【０００８】
本発明は、上述の点に鑑みて為されたもので、その目的とするところは、接極子ブロックとボディブロックとが所定の位置に精度よく接合され、安定したリレー特性を与える電磁リレー及びその製造方法を提供することである。
【課題を解決するための手段】
【０００９】
上述の課題を解決するために、請求項１の発明では、鉄心及び前記鉄心に巻回されたコイルからなる電磁石ブロック、固定接点が固着された固定端子板、及び共通端子板を樹脂製のボディに固定して形成されたボディブロックと、鉄心の磁極に対向させるようにしてボディブロックに揺動自在に支持され、鉄心の磁極に吸引されて揺動する接極子と、接極子と一体的に設けられ、固定接点と対向する部位に固定接点と接離する可動接点が固着された接点ばねと、接点ばねに電気的に接続されるヒンジばねとを備える電磁リレーの製造方法において、前記ヒンジばねと、前記ヒンジばねの平板状の被溶接部が載置され溶接される溶接面を有する前記共通端子板とを、前記被溶接部の前記接極子の揺動軸に平行な方向の一端から、前記被溶接部に対し垂直下方向に延設された部位と、前記共通端子板の外側面とを当接させて位置決めし、さらに前記被溶接部の前記接極子の揺動軸に垂直な方向の一端と、前記溶接面の前記接極子の揺動軸に垂直な方向の端部に、前記溶接面に対して垂直上方向に前記ボディから一体に延設された壁体の壁面とを、当接させて位置決めした状態で、溶接することを特徴とする電磁リレーの製造方法とした。
【００１０】
請求項１の発明によれば、ヒンジばねと共通端子板とを、接極子の揺動軸に平行な方向及び垂直な方向に位置決めして溶接できる。そのため、接極子ブロックとボディブロックとを所定の位置に精度良く接合でき、接極子ブロックとボディブロックとが接触し、摩擦を生じてしまうことによる動作不良を抑止することができ、かつ、電磁リレーのシーソー動作のバランスやばね特性のばらつきを抑止することができる。
【００１１】
請求項２の発明では、鉄心及び前記鉄心に巻回されたコイルからなる電磁石ブロック、固定接点が固着された固定端子板、及び共通端子板を樹脂製のボディに固定して形成されたボディブロックと、鉄心の磁極に対向させるようにしてボディブロックに揺動自在に支持され、鉄心の磁極に吸引されて揺動する接極子と、接極子と一体的に設けられ、固定接点と対向する部位に固定接点と接離する可動接点が固着された接点ばねと、接点ばねに電気的に接続されるヒンジばねとを備える電磁リレーにおいて、平板状の被溶接部が前記共通端子板の溶接面に載置され溶接される前記ヒンジばねに、前記溶接面に直交する前記共通端子板を含む周辺部に当接して位置決めする位置決め部が設けられており、前記位置決め部が、前記被溶接部の前記接極子の揺動軸に平行な方向の一端から、前記被溶接部に対し垂直下方向に延設された部位、及び前記被溶接部の前記接極子の揺動軸に垂直な方向の一端であり、それぞれ対応する前記周辺部が、前記共通端子板の外側面、及び前記溶接面の前記接極子の揺動軸に垂直な方向の端部に、前記溶接面に対して垂直上方向に前記ボディから一体に延設された壁体の壁面であることを特徴とする電磁リレーとした。
【００１２】
請求項２の発明によれば、ヒンジばねと共通端子板とが、接極子の揺動軸に平行な方向及び垂直な方向に位置決めして溶接されているため、接極子ブロックとボディブロックとが所定の位置に精度良く接合され、接極子ブロックとボディブロックとが接触し、摩擦を生じてしまうことによる動作不良を抑止することができ、かつ、電磁リレーのシーソー動作のバランスやばね特性のばらつきを抑止することができる。
【発明の効果】
【００１３】
本発明の電磁リレーの製造方法は、接極子ブロックに備えられたヒンジばねとボディブロックに備えられた共通端子板とを位置決めして溶接することができ、そのためリレー特性の安定した電磁リレーを製造することができる。
【発明を実施するための最良の形態】
【００１４】
図１および２を用いて本発明の最良の実施形態について説明する。
【００１５】
図１（ａ）に、接極子ブロック２を接合したボディブロック１を示す。ここで、接極子ブロック２とボディブロック１とは、接極子９の揺動軸に平行な方向とボディ５の短手方向、接極子９の揺動軸に垂直な方向とボディ５の長手方向とがそれぞれ沿うように接合されている。ボディブロック１は、電磁石ブロック、固定接点３ａが固着された固定端子板３および共通端子板４とを樹脂製のボディ５とともにインサート成形して形成されている。
【００１６】
前記電磁石ブロックは、鉄心６、コイル、コイル端子７、および永久磁石８とを備え、鉄心６は、コ字形に成形され、表面には絶縁コーティングが施されており、その中央部には、前記コイルが巻回される。前記コイルの両端は、コイル端子７と電気的に接続される。永久磁石８は、直方体形状を有し、中央部と両端部とが異なる磁極に着磁され、鉄心６の両側片の先端部からなる磁極部６ａの間に介装される。
【００１７】
前記電磁石ブロックは、固定端子板３及び共通端子板４とともに合成樹脂でモールドしてボディブロック１として一体に形成されており、前記電磁石ブロックの両側に一対の固定端子板３と、共通端子板４と、コイル端子７とがそれぞれ植設されている。
【００１８】
永久磁石８の上面と鉄心６の両磁極部６ａとは、ボディ５の上面に露呈している。また、各固定端子板３に固着された固定接点３ａと、後述の共通端子板４に設けた溶接面４ａとがボディ５の上面に露呈しており、ボディ５の長手方向における両端部に磁極部６ａを挟んで各一対の固定接点３ａが配置され、ボディ５の長手方向における略中央部に永久磁石８を挟んで２個の溶接面４ａが配置されている。また、溶接面４ａのボディ５の長手方向の両端側には、溶接面４ａに対し垂直上方向に、ボディ５から一体に延設される壁体５ａの壁面５ｂが形成されている。
【００１９】
図１（ｂ）に示すように、接極子ブロック２は、磁性材料により細長の平板状に形成された接極子９と、接極子９の揺動軸に平行な方向である短手方向における両側に、接極子９の揺動軸に垂直な方向である長手方向に沿って配置された２本の接点ばね１０と、各接点ばね１０の略中央に固着されたヒンジばね１１とを合成樹脂でモールドして一体成形されている。樹脂製の成形部１２は、接極子９及び両接点ばね１０の長手方向における中央部に成形されており、接極子９及び両接点ばね１０の両端部は成形部１２からそれぞれ露出している。
【００２０】
各接点ばね１０は、両端部が二股に分割されるとともに、分割された各先端部の下面には、固定接点３ａと対向する部位に固定接点３ａと接離する可動接点が固着されている。また、成形部１２の永久磁石８と対向する面には、永久磁石８の長手方向における略中央部と当接する突条が永久磁石８の短手方向に沿って形成されており、前記突条を揺動支点として接極子ブロック２が永久磁石８上に揺動自在に載置されている。
【００２１】
また、ヒンジばね１１は略コ字形に形成され、一方の端部が接点ばね１０の略中央部に固着されている。ヒンジばね１１の他方の端部は、成形部１２から外側へ露出し、溶接面４ａと溶接されるための被溶接部１１ａが形成される。被溶接部１１ａには、被溶接部１１ａのボディ５の短手方向の一端から被溶接部１１ａに対し垂直下方向に、共通端子板４の外側面４ｂと当接する延設部１１ｂが延設されている。
【００２２】
次に、本実施形態の電磁リレーの製造方法について説明する。ただし本発明の電磁リレーの製造方法は、接極子ブロック２をボディブロック１に配設する工程に特徴があり、その他は従来例と共通するので、説明を省略する。
【００２３】
図１（ｃ）に示すように、接極子ブロック２とボディブロック１とは、まず、ヒンジばね１１の被溶接部１１ａを共通端子板４上の溶接面４ａに載置した後、延設部１１ｂと外側面４ｂとを当接させ、さらに被溶接部１１ａのボディ５の長手方向の一端と、壁面５ｂとを当接させた状態で、被溶接部１１ａと溶接面４ａとを溶接することにより、接合される。これによって接極子ブロック２とボディブロック１とは、所定の位置に精度よく接合されるとともに、２本の接点ばね１０がヒンジばね１１を介してボディブロック１の両側に植設された２本の共通端子板４に電気的に接続される。以上により、本実施形態の電磁リレーが完成する。
【００２４】
本実施形態では、ヒンジばね１１と共通端子板４とを、接極子９の揺動軸に平行な方向に位置決めし、かつ、接極子９の揺動軸に垂直な方向に位置決めして溶接するため、接極子ブロック２とボディブロック１とが所定の位置に精度良く接合され、接極子ブロック２とボディブロック１とが接触して、摩擦を生じてしまうことによる動作不良を解消でき、さらに電磁リレーのシーソー動作のバランスやばね特性のばらつきを抑止することができる。
【００２５】
また、接極子ブロック２とボディブロック１とを、接極子９の揺動軸に垂直な方向にのみ精度良く接合したい場合、図２（ａ）に示すように、被溶接部１１ａに延設部１１ｂを延設せずに、被溶接部１１ａの接極子９の揺動軸に垂直な方向の一端と、壁面５ｂとを当接させた状態で、被溶接部１１ａと溶接面４ａとを溶接すればよく、この場合、電磁リレーのシーソー動作のバランスやばね特性のばらつきを抑止することができる。
【００２６】
さらに、接極子ブロック２とボディブロック１とは、接極子９の揺動軸に平行な方向にのみ精度良く接合したい場合、図２（ｂ）に示すように、延設部１１ｂと外側面４ｂとを当接させた状態で、被溶接部１１ａと溶接面４ａとを溶接すればよく、この場合、接極子ブロック２とボディブロック１とが接触して、摩擦を生じてしまうことによる動作不良を解消できる。
【図面の簡単な説明】
【００２７】
【図１】（ａ）は、本発明の接極子ブロックを溶接したボディブロックを示す斜視図であり、（ｂ）は、同上の接極子ブロックを示す斜視図であり、（ｃ）は、同上の接極子ブロックとボディブロックとの溶接部の部分図である。
【図２】（ａ）は、本発明の他の接極子ブロックとボディブロックとの溶接部の部分図であり、（ｂ）は、本発明のさらに他の接極子ブロックとボディブロックとの溶接部の部分図である。
【図３】従来の接極子ブロックとボディブロックとの溶接部の部分図である。
【図４】（ａ）は、電磁リレーのサイズが大きい場合の接点ばねを示す概略説明図であり、（ｂ）は、同上の接点ばねのずれを示す概略説明図であり、（ｃ）は、電磁リレーのサイズが小さい場合の接点ばねを示す概略説明図であり、（ｄ）は、同上の接点ばねのずれを示す概略説明図である。
【符号の説明】
【００２８】
１    ボディブロック
２    接極子ブロック
３    固定端子板
３ａ  固定接点
４    共通端子板
４ａ  溶接面
４ｂ  外側面
５    ボディ
５ａ  壁体
５ｂ  壁面
６    鉄心
６ａ  磁極部
７    コイル端子
８    永久磁石
９    接極子
１０    接点ばね
１１    ヒンジばね
１１ａ  被溶接部
１１ｂ  延設部
１２    成形部
【図１】
2005071762.tif 000003
【図２】
2005071762.tif 000004
【図３】
2005071762.tif 000005
【図４】
2005071762.tif 000006